(57)【要約】【課題】ネットワーク機器において、設定データを入力する際の手間を軽減させる。【解決手段】「２」キーが押下されると（Ｓ１）、制御用マイコンは、第１入力フォーマットＦ１に入力されていたデータを消去し、「２」を入力させる。さらに、「５」キーが押下されると（Ｓ２）、第１入力フォーマットＦ１に「５」を追加入力させる。次に、右キーが押下されると（Ｓ３）、制御用マイコンは、入力カーソルＣを第２入力フォーマットＦ２に移動させ、第２入力フォーマットＦ２を全選択状態にさせる。そして、「２」キーが押下されると（Ｓ４）、制御用マイコンは、第２入力フォーマットＦ２に「２」を入力させ、「５」キーが押下されると（Ｓ５）、第２入力フォーマットＦ２に「５」を追加入力させる。そして、「１」キーが押下されると（Ｓ６）、第２入力フォーマットＦ２に３桁までデータ入力されたので、第３入力フォーマットＦ３に入力カーソルＣを移動させる。【選択図】図５
2008198079.tif 000002
【特許請求の範囲】
【請求項１】
ホームネットワークに接続するためのネットワークインタフェースと、
各種メッセージを表示するための表示手段と、
ユーザによって操作され、装置各部に指示を与えるための操作手段と、
ＩＰアドレス、サブネットマスク、デフォルトゲートウェイ、及びＤＮＳ（Ｄｏｍａｉ
ｎ  Ｎａｍｅ  Ｓｙｓｔｅｍ）サーバ等の、ネットワーク機器を前記ホームネットワーク
に接続するために必要な設定データを記憶する記憶手段と、
装置各部を制御するための制御手段とを備え、
前記操作手段は、「０」乃至「９」の１０個の数字に対応する各数字キーと、上下左右
に押下可能な十字キーと、決定キーと、戻るキーとを有し、
前記制御手段は、ユーザが前記操作手段を用いてＩＰアドレス等の４つの入力グループ
から構成されるデータを入力する際に、４つの入力グループに対応する第１乃至第４入力
フォーマットと、これらの入力フォーマットに入力される数字の入力先を示す入力カーソ
ルとが前記表示手段に表示されるように制御し、
前記第１乃至第４入力フォーマットは、いずれも入力可能な桁数が最大３桁であり、
前記第１乃至第４入力フォーマットの表示状態は、これらの入力フォーマットのうちの
いずれかの入力フォーマットに入力された数字を全て選択した状態である全選択状態と、
これらの入力フォーマットのうちのいずれかの入力フォーマットに前記入力カーソルが位
置している状態である入力可能状態とを有するネットワーク機器において、
前記制御手段は、
前記第１乃至第４入力フォーマットのうちのある入力フォーマットの表示状態が全選択
状態のときに、前記十字キーの左キーが押下されると、前記入力カーソルが最も左側の前
記第１入力フォーマットに位置するとき以外は、該入力カーソルを前記ある入力フォーマ
ットの１つ左側の入力フォーマットに移動させ、
前記第１乃至第４入力フォーマットのうちのある入力フォーマットの表示状態が全選択
状態のときに、前記十字キーの右キーが押下されると、前記入力カーソルが最も右側の前
記第４入力フォーマットに位置するとき以外は、該入力カーソルを前記ある入力フォーマ
ットの１つ右側の入力フォーマットに移動させ、
前記第１乃至第４入力フォーマットのうちのある入力フォーマットに前記入力カーソル
が位置し、前記数字キーが押下されて前記ある入力フォーマットに最大入力桁数までデー
タが入力されたとき、該入力カーソルが前記第４入力フォーマットに位置するとき以外は
、該ある入力フォーマットの１つ右側の入力フォーマットに自動的に該入力カーソルを移
動させ、
前記第１乃至第４入力フォーマットのうちのある入力フォーマットに前記入力カーソル
が位置するときに、前記十字キーの左キーが押下されると、前記ある入力フォーマットに
入力されているデータを前記全選択状態とし、
前記第１乃至第４入力フォーマットのうちのある入力フォーマットに前記入力カーソル
が位置するときに、前記十字キーの右キーが押下されると、該入力カーソルが前記第４入
力フォーマットに位置するとき以外は、前記ある入力フォーマットへの入力を終了させる
と共に、該ある入力フォーマットの１つ右側の入力フォーマットに自動的に該入力カーソ
ルを移動させることを特徴とするネットワーク機器。
【請求項２】
ホームネットワークに接続するためのネットワークインタフェースと、
各種メッセージを表示するための表示手段と、
ユーザによって操作され、装置各部に指示を与えるための操作手段と、
ホームネットワーク上の識別情報のデータを記憶する記憶手段と、
装置各部を制御するための制御手段とを備え、
前記操作手段は、「０」乃至「９」の１０個の数字に対応する各数字キーと、左右に押
下可能な左右キーとを有し、
前記制御手段は、複数の入力フォーマットと、これらの入力フォーマットに入力される
数字の入力先を示す入力カーソルとが前記表示手段に表示されるように制御し、
前記入力フォーマットは、任意の桁数まで入力可能であり、
前記入力フォーマットの表示状態は、前記複数の入力フォーマットのうちのいずれかの
入力フォーマットに入力された数字を全て選択した状態である全選択状態と、該複数の入
力フォーマットのうちのいずれかの入力フォーマットに前記入力カーソルが位置している
状態である入力可能状態とを有するネットワーク機器において、
前記制御手段は、
前記複数の入力フォーマットのうちのある入力フォーマットの表示状態が全選択状態の
ときに、前記左右キーの左キーが押下されると、該入力カーソルを前の入力フォーマット
に移動させ、
前記複数の入力フォーマットのうちのある入力フォーマットの表示状態が全選択状態の
ときに、前記左右キーの右キーが押下されると、該入力カーソルを次の入力フォーマット
に移動させ、
前記複数の入力フォーマットのうちのある入力フォーマットに前記入力カーソルが位置
し、前記数字キーが押下されて前記ある入力フォーマットに最大入力桁数までデータが入
力されたとき、次の入力フォーマットに自動的に該入力カーソルを移動させ、
前記複数の入力フォーマットのうちのある入力フォーマットに前記入力カーソルが位置
するときに、前記左右キーの左キーが押下されると、該ある入力フォーマットに入力され
ているデータを前記全選択状態とし、
前記複数の入力フォーマットのうちのある入力フォーマットに前記入力カーソルが位置
するときに、前記十字キーの右キーが押下されると、該ある入力フォーマットへの入力を
終了させると共に、次の入力フォーマットに自動的に該入力カーソルを移動させることを
特徴とするネットワーク機器。
【請求項３】
前記制御手段は、４つの入力グループに対応する第１乃至第４入力フォーマットが前記
表示手段に表示されるように制御し、
前記第１乃至第４入力フォーマットは、いずれも入力可能な桁数が最大３桁であること
を特徴とする請求項２に記載のネットワーク機器。
【発明の詳細な説明】
【技術分野】
【０００１】
本発明は、ネットワーク機器に関し、特に設定データの入力技術に関する。
【背景技術】
【０００２】
近年、ホームネットワークに接続可能なネットワークテレビ等のネットワーク機器が増
えている。ホームネットワークに接続された機器にはユニークに割り振られた識別番号で
あるＩＰアドレスやサブネットマスク等のデータを設定する必要がある。そのため、ユー
ザがリモコン等を操作することにより、ネットワーク機器にＩＰアドレス等のデータを設
定することがある。しかし、ユーザにとってリモコン等を操作することにより設定データ
を入力する作業は煩雑である。
【０００３】
上記問題に対して、特許文献１には、リモコンに配置されている所定のキーを押下する
ことにより、入力モードを複数の入力モードのうちの１つに切り替え、切り替えられた入
力モードに応じて、予め用意されている入力フォーマットを自動的にディスプレイに表示
することができるデータ入力装置が開示されている。しかし、このデータ入力装置では、
数字等の入力先を示す入力カーソルが位置する入力フォーマットに入力が終了したときに
、自動的に他の入力フォーマットにこのカーソルが移動しないため、上記問題を解決でき
ない。
【０００４】
また、特許文献２には、複数のキーを有するリモコンを備え、これらのキーを所定数の
グループに分類し、特定のデータ入力状態において、特定のグループのキーのみを有効と
し、それ以外のキーを無効とすることでユーザがデータ入力を簡易に行うことができるデ
ータ入力装置が開示されている。しかし、このデータ入力装置では、データ入力状態を変
更する際に、ユーザが変更キーを押下した後に決定キーを押下しなければならず、操作が
煩雑となり、上記問題を解決できない。
【特許文献１】特開２００５−１３５３３４号公報
【特許文献２】特開平８−２１１９８９号公報
【発明の開示】
【発明が解決しようとする課題】
【０００５】
本発明は、上記問題を解決するためになされたものであり、ユーザがホームネットワー
クに接続するために必要な設定データを入力する際の手間を軽減させることができるネッ
トワーク機器を提供することを目的とする。
【課題を解決するための手段】
【０００６】
上記目的を達成するために請求項１の発明は、ホームネットワークに接続するためのネ
ットワークインタフェースと、各種メッセージを表示するための表示手段と、ユーザによ
って操作され、装置各部に指示を与えるための操作手段と、ＩＰアドレス、サブネットマ
スク、デフォルトゲートウェイ、及びＤＮＳ（Ｄｏｍａｉｎ  Ｎａｍｅ  Ｓｙｓｔｅｍ）
サーバ等の、ネットワーク機器を前記ホームネットワークに接続するために必要な設定デ
ータを記憶する記憶手段と、装置各部を制御するための制御手段とを備え、前記操作手段
は、「０」乃至「９」の１０個の数字に対応する各数字キーと、上下左右に押下可能な十
字キーと、決定キーと、戻るキーとを有し、前記制御手段は、ユーザが前記操作手段を用
いてＩＰアドレス等の４つの入力グループから構成されるデータを入力する際に、４つの
入力グループに対応する第１乃至第４入力フォーマットと、これらの入力フォーマットに
入力される数字の入力先を示す入力カーソルとが前記表示手段に表示されるように制御し
、前記第１乃至第４入力フォーマットは、いずれも入力可能な桁数が最大３桁であり、前
記第１乃至第４入力フォーマットの表示状態は、これらの入力フォーマットのうちのいず
れかの入力フォーマットに入力された数字を全て選択した状態である全選択状態と、これ
らの入力フォーマットのうちのいずれかの入力フォーマットに前記入力カーソルが位置し
ている状態である入力可能状態とを有するネットワーク機器において、前記制御手段は、
前記第１乃至第４入力フォーマットのうちのある入力フォーマットの表示状態が全選択状
態のときに、前記十字キーの左キーが押下されると、前記入力カーソルが最も左側の前記
第１入力フォーマットに位置するとき以外は、該入力カーソルを前記ある入力フォーマッ
トの１つ左側の入力フォーマットに移動させ、前記第１乃至第４入力フォーマットのうち
のある入力フォーマットの表示状態が全選択状態のときに、前記十字キーの右キーが押下
されると、前記入力カーソルが最も右側の前記第４入力フォーマットに位置するとき以外
は、該入力カーソルを前記ある入力フォーマットの１つ右側の入力フォーマットに移動さ
せ、前記第１乃至第４入力フォーマットのうちのある入力フォーマットに前記入力カーソ
ルが位置し、前記数字キーが押下されて前記ある入力フォーマットに最大入力桁数までデ
ータが入力されたとき、該入力カーソルが前記第４入力フォーマットに位置するとき以外
は、該ある入力フォーマットの１つ右側の入力フォーマットに自動的に該入力カーソルを
移動させ、前記第１乃至第４入力フォーマットのうちのある入力フォーマットに前記入力
カーソルが位置するときに、前記十字キーの左キーが押下されると、前記ある入力フォー
マットに入力されているデータを前記全選択状態とし、前記第１乃至第４入力フォーマッ
トのうちのある入力フォーマットに前記入力カーソルが位置するときに、前記十字キーの
右キーが押下されると、該入力カーソルが前記第４入力フォーマットに位置するとき以外
は、前記ある入力フォーマットへの入力を終了させると共に、該ある入力フォーマットの
１つ右側の入力フォーマットに自動的に該入力カーソルを移動させるものである。
【０００７】
請求項２の発明は、ホームネットワークに接続するためのネットワークインタフェース
と、各種メッセージを表示するための表示手段と、ユーザによって操作され、装置各部に
指示を与えるための操作手段と、ホームネットワーク上の識別情報のデータを記憶する記
憶手段と、装置各部を制御するための制御手段とを備え、前記操作手段は、「０」乃至「
９」の１０個の数字に対応する各数字キーと、左右に押下可能な左右キーとを有し、前記
制御手段は、複数の入力フォーマットと、これらの入力フォーマットに入力される数字の
入力先を示す入力カーソルとが前記表示手段に表示されるように制御し、前記入力フォー
マットは、任意の桁数まで入力可能であり、前記入力フォーマットの表示状態は、前記複
数の入力フォーマットのうちのいずれかの入力フォーマットに入力された数字を全て選択
した状態である全選択状態と、該複数の入力フォーマットのうちのいずれかの入力フォー
マットに前記入力カーソルが位置している状態である入力可能状態とを有するネットワー
ク機器において、前記制御手段は、前記複数の入力フォーマットのうちのある入力フォー
マットの表示状態が全選択状態のときに、前記左右キーの左キーが押下されると、該入力
カーソルを前の入力フォーマットに移動させ、前記複数の入力フォーマットのうちのある
入力フォーマットの表示状態が全選択状態のときに、前記左右キーの右キーが押下される
と、該入力カーソルを次の入力フォーマットに移動させ、前記複数の入力フォーマットの
うちのある入力フォーマットに前記入力カーソルが位置し、前記数字キーが押下されて前
記ある入力フォーマットに最大入力桁数までデータが入力されたとき、次の入力フォーマ
ットに自動的に該入力カーソルを移動させ、前記複数の入力フォーマットのうちのある入
力フォーマットに前記入力カーソルが位置するときに、前記左右キーの左キーが押下され
ると、該ある入力フォーマットに入力されているデータを前記全選択状態とし、前記複数
の入力フォーマットのうちのある入力フォーマットに前記入力カーソルが位置するときに
、前記十字キーの右キーが押下されると、該ある入力フォーマットへの入力を終了させる
と共に、次の入力フォーマットに自動的に該入力カーソルを移動させるものである。
【０００８】
請求項３の発明は、請求項２に記載のネットワーク機器において、前記制御手段は、４
つの入力グループに対応する第１乃至第４入力フォーマットが前記表示手段に表示される
ように制御し、前記第１乃至第４入力フォーマットは、いずれも入力可能な桁数が最大３
桁であるものである。
【発明の効果】
【０００９】
請求項１の発明によれば、ある入力フォーマットの表示状態が全選択状態のときに、左
キーが押下されると、入力カーソルが最も左側の第１入力フォーマットに位置するとき以
外は、入力カーソルをある入力フォーマットの１つ左側の入力フォーマットに移動させ、
ある入力フォーマットの表示状態が全選択状態のときに、右キーが押下されると、入力カ
ーソルが最も右側の第４入力フォーマットに位置するとき以外は、入力カーソルをある入
力フォーマットの１つ右側の入力フォーマットに移動させことができる。また、ある入力
フォーマットに入力カーソルが位置し、数字キーが押下されて、ある入力フォーマットに
最大入力桁数までデータが入力されたとき、入力カーソルが第４入力フォーマットに位置
するとき以外は、ある入力フォーマットの１つ右側の入力フォーマットに自動的に該入力
カーソルを移動させることができる。
【００１０】
また、ある入力フォーマットに入力カーソルが位置するときに、左キーが押下されると
、ある入力フォーマットに入力されているデータを全選択状態とすることができる。また
、ある入力フォーマットに入力カーソルが位置するときに、右キーが押下されると、入力
カーソルが第４入力フォーマットに位置するとき以外は、ある入力フォーマットへの入力
を終了させると共に、ある入力フォーマットの１つ右側の入力フォーマットに自動的に入
力カーソルを移動させることができる。そのため、ユーザが、ＩＰアドレス等のネットワ
ーク機器をホームネットワークに接続するために必要な設定データを入力する際に、操作
手段を操作する回数を軽減させることができるので、ユーザが設定データを入力する手間
を軽減させることができる。
【００１１】
請求項２の発明によれば、ある入力フォーマットの表示状態が全選択状態のときに、左
キーが押下されると、入力カーソルを前の入力フォーマットに移動させ、ある入力フォー
マットの表示状態が全選択状態のときに、右キーが押下されると、入力カーソルを次の入
力フォーマットに移動させることができる。また、ある入力フォーマットに入力カーソル
が位置し、数字キーが押下されて、ある入力フォーマットに最大入力桁数までデータが入
力されたとき、次の入力フォーマットに自動的に入力カーソルを移動させることができる
。
【００１２】
また、ある入力フォーマットに入力カーソルが位置するときに、左キーが押下されると
、ある入力フォーマットに入力されているデータを全選択状態とすることができる。また
、ある入力フォーマットに入力カーソルが位置するときに、右キーが押下されると、ある
入力フォーマットへの入力を終了させると共に、次の入力フォーマットに自動的に入力カ
ーソルを移動させることができる。そのため、ユーザが、ＩＰアドレス等のネットワーク
機器をホームネットワークに接続するために必要な設定データを入力する際に、操作手段
を操作する回数を軽減させることができるので、ユーザが設定データを入力する手間を軽
減させることができる。
【発明を実施するための最良の形態】
【００１３】
以下、本発明の一実施形態に係るネットワーク機器について、図１及び図２を参照して
説明する。以下の実施形態では、本発明に係るネットワーク機器がネットワークテレビで
ある場合について説明する。図１は、ネットワークテレビ２と動画等のコンテンツが保存
されているネットワークサーバ３とがネットワークケーブル４を介して接続されているホ
ームネットワーク１を示し、図２は、ネットワークテレビ２の内部構造を示す。このホー
ムネットワーク１では、ネットワークテレビ２は、制御コマンド等のデータをネットワー
クサーバ３に送信し、ネットワークサーバ３は、制御コマンドや動画や音声等のコンテン
ツデータ（以下、コンテンツ）をネットワークテレビ２に送信する。制御コマンドには、
このコマンドの送信元及び送信先を示すＩＰアドレス等の、ホームネットワーク１に接続
されたネットワーク機器に対してユニークに割り振られた識別番号が含まれている。
【００１４】
ネットワークサーバ３は、ネットワークケーブル４が接続されるネットワークインタフ
ェース（図示せず）と、コンテンツが記憶されたＨＤＤ（Ｈａｒｄ  Ｄｉｓｋ  Ｄｒｉｖ
ｅ）３１と、ネットワークサーバ３の各部を制御する制御部（図示せず）と、各種ネット
ワーク識別情報等が記憶されたメモリ（図示せず）とを備える。ネットワークサーバ３は
、ネットワークテレビ２等のネットワーク機器から送信された制御コマンド等を受信し、
受信した制御コマンドにより指示されたコンテンツを、この制御コマンドに基づいてネッ
トワークケーブル４を介してホームネットワーク１上のネットワーク機器に送信する。
【００１５】
ネットワークテレビ２は、図２に示すように、ネットワークケーブル４が接続され、ネ
ットワークサーバ３に対して制御コマンドの送信、及びコンテンツの受信を行うためのネ
ットワークインタフェース２３と、ユーザによって操作され、装置各部に指示を与えるた
めのリモコン５（操作手段）と、受信したコンテンツの再生や装置各部の制御を行う制御
用マイコン（制御手段）２６と、制御用マイコン２６の動作プログラムやホームネットワ
ーク１上の識別番号等を記憶するメモリ２４とを備える。
【００１６】
また、ネットワークテレビ２は、リモコン５から送信された信号を受光し、制御用マイ
コン２６へ出力するリモコン信号受信部２５と、ネットワークインタフェース２３により
受信した動画や画像等のコンテンツや各種メッセージを表示するためのディスプレイ（表
示手段）２１と、制御用マイコン２６から出力された音声信号に基づく音声を出力するス
ピーカ２２とをさらに備える。
【００１７】
メモリ２４は、ホームネットワーク１に接続された機器にユニークに割り振られた識別
番号であるＩＰアドレス、サブネットマスク、デフォルトゲートウェイ、及びＤＮＳ（Ｄ
ｏｍａｉｎ  Ｎａｍｅ  Ｓｙｓｔｅｍ）サーバ等の設定データを記憶している。これらの
設定データは、ネットワークテレビ２をホームネットワーク１に接続するために必要なデ
ータであり、ユーザがリモコン５の各キーを操作することにより入力する。
【００１８】
次に、リモコン５の構成について、図３を参照して説明する。図３は、リモコン５の上
面を示す。リモコン５は、「０」乃至「９」の１０個の数字に対応する「０」〜「９」ま
での数字キー５０〜５９と、上下左右に押下可能な十字キー７０と、決定キー６１と、戻
るキー６２と、コンテンツ再生時などにスピーカ２２から出力する音量値を調節する音量
キー６３とを備える。十字キー７０は、上キー７３と、下キー７４と、左キー７１と、右
キー７２とから構成される。
【００１９】
次に、識別情報の入力時の制御用マイコン２６の処理について、図４を参照して説明す
る。図４は、ディスプレイ２１に表示された識別情報の入力フォーマットＦ１〜Ｆ４を示
す。ＩＰアドレス、サブネットマスク、デフォルトゲートウェイ、及びＤＮＳ等の識別情
報は、４つの入力グループから構成され、各入力グループは入力可能な桁数が最大３桁で
ある。ユーザがこれらの識別情報の入力操作を行うときに、制御用マイコン２６は、４つ
の入力グループに対応する第１入力フォーマットＦ１乃至第４入力フォーマットＦ４と、
これらの入力フォーマットＦ１〜Ｆ４に入力される数字の入力先を示す入力カーソルＣと
をディスプレイ２１に表示する。入力フォーマットＦ１〜Ｆ４の表示状態は、第１入力フ
ォーマットＦ１乃至第４入力フォーマットＦ４のうちのいずれかの入力フォーマットに入
力された数字を全て選択した状態である全選択状態と、第１入力フォーマットＦ１乃至第
４入力フォーマットＦ４のうちのいずれかの入力フォーマットに入力カーソルＣが位置し
ている状態である入力可能状態とを有する。
【００２０】
制御用マイコン２６は、第１入力フォーマットＦ１乃至第４入力フォーマットＦ４のう
ちのある入力フォーマットの表示状態が全選択状態のときに、左キー７１が押下されると
、入力カーソルＣが最も左側の第１入力フォーマットＦ１に位置するとき以外は、入力カ
ーソルＣをある入力フォーマットの１つ左側の入力フォーマットに移動させる。
【００２１】
制御用マイコン２６は、第１入力フォーマットＦ１乃至第４入力フォーマットＦ４のう
ちのある入力フォーマットの表示状態が全選択状態のときに、右キー７２が押下されると
、入力カーソルＣが最も右側の第４入力フォーマットＦ４に位置するとき以外は、入力カ
ーソルＣをある入力フォーマットの１つ右側の入力フォーマットに移動させる。
【００２２】
制御用マイコン２６は、第１入力フォーマットＦ１乃至第４入力フォーマットＦ４のう
ちのある入力フォーマットに入力カーソルＣが位置し、数字キー５０〜５９が押下されて
ある入力フォーマットに３桁までデータが入力されたときは、入力カーソルＣが第４入力
フォーマットＦ４に位置するとき以外は、上記ある入力フォーマットの１つ右側の入力フ
ォーマットに自動的に入力カーソルＣを移動させる。
【００２３】
制御用マイコン２６は、第１入力フォーマットＦ１乃至第４入力フォーマットＦ４のう
ちのある入力フォーマットに入力カーソルＣが位置するときに、左キー７１が押下される
と、ある入力フォーマットに入力されているデータを全選択状態とする。
【００２４】
制御用マイコン２６は、第１入力フォーマットＦ１乃至第４入力フォーマットＦ４のう
ちのある入力フォーマットに入力カーソルＣが位置するときに、右キー７２が押下される
と、入力カーソルＣが第４入力フォーマットＦ４に位置するとき以外は、ある入力フォー
マットへの入力を終了させると共に、ある入力フォーマットの１つ右側の入力フォーマッ
トに自動的に入力カーソルＣを移動させる。
【００２５】
次に、上記識別情報のうちのＩＰアドレスを入力する際の制御用マイコン２６の処理に
ついて、図５を参照して説明する。図５は、ＩＰアドレスの入力操作手順を示す。ＩＰア
ドレスは、４つの入力グループから構成され、各入力グループは入力可能な桁数が最大３
桁である。ここでは、ネットワークテレビ２に「１０．１９２．３１．１５８」の値がＩ
Ｐアドレスとして予め設定されているものとする。
【００２６】
ユーザがＩＰアドレスの入力操作を行うとき、制御用マイコン２６は、４つの入力グル
ープに対応する第１入力フォーマットＦ１乃至第４入力フォーマットＦ４と、これらの入
力フォーマットＦ１〜Ｆ４に入力される数字の入力先を示す入力カーソルＣとをディスプ
レイ２１に表示する。入力フォーマットの表示状態は、第１入力フォーマットＦ１乃至第
４入力フォーマットＦ４のうちのいずれかの入力フォーマットＦ１〜Ｆ４に入力された数
字を全て選択した状態である全選択状態と、第１入力フォーマットＦ１乃至第４入力フォ
ーマットＦ４のうちのいずれかの入力フォーマットに入力カーソルＣが位置している状態
である入力可能状態とを有する。
【００２７】
まず、第１入力フォーマットＦ１の表示状態が全選択状態のとき、「２」キー５２が押
下されると（Ｓ１）、制御用マイコン２６は、第１入力フォーマットＦ１に入力されてい
たデータを消去し、「２」を入力させる。さらに、「５」キー５５が押下されると（Ｓ２
）、第１入力フォーマットＦ１に「５」を追加入力させる。次に、右キー７２が押下され
ると（Ｓ３）、制御用マイコン２６は、第１入力フォーマットＦ１への入力を終了させる
と共に、入力カーソルＣを第２入力フォーマットＦ２に移動させ、第２入力フォーマット
Ｆ２を全選択状態にさせる。
【００２８】
そして、「２」キー５２が押下されると（Ｓ４）、制御用マイコン２６は、第２入力フ
ォーマットＦ２に「２」を入力させ、「５」キー５２が押下されると（Ｓ５）、第２入力
フォーマットＦ２に「５」を追加入力させる。そして、「１」キー５２が押下されると（
Ｓ６）、制御用マイコン２６は、第２入力フォーマットＦ２に「１」を追加入力させると
共に、第２入力フォーマットＦ２に３桁までデータ入力されたので、第３入力フォーマッ
トＦ３に入力カーソルＣを自動的に移動させる。
【００２９】
次に、ＩＰアドレスを入力する際の制御用マイコン２６の処理の別の例について、図６
を参照して説明する。図６は、ＩＰアドレスの入力操作手順を示す。ここでは、ネットワ
ークテレビ２に「２５．２５．３１．１５８」の値がＩＰアドレスとして予め設定されて
いるものとする。また、入力カーソルＣは、第２入力フォーマットＦ２に位置しているも
のとする。
【００３０】
まず、左キー７１が押下されると（Ｓ１１）、制御用マイコン２６は、第２入力フォー
マットＦ２に入力されているデータを全選択状態にする。そして、第２入力フォーマット
Ｆ２が全選択状態のままで、左キー７１が押下されると（Ｓ１２）、制御用マイコン２６
は、入力カーソルＣを第１入力フォーマットＦ１に移動させる。
【００３１】
上記のように、本発明の一実施形態に係るネットワークテレビ２によれば、ある入力フ
ォーマットＦ２〜Ｆ４の表示状態が全選択状態のときに、左キー７１が押下されると、入
力カーソルＣを前の入力フォーマットに移動させ、ある入力フォーマットＦ１〜Ｆ３の表
示状態が全選択状態のときに、右キー７２が押下されると、入力カーソルＣを次の入力フ
ォーマットに移動させることができる。また、ある入力フォーマットＦ１〜Ｆ３に入力カ
ーソルＣが位置し、数字キー５０〜５９が押下されて、ある入力フォーマットに３桁まで
データが入力されたとき、次の入力フォーマットに自動的に入力カーソルＣを移動させる
ことができる。
【００３２】
また、ある入力フォーマットＦ２〜Ｆ４に入力カーソルＣが位置するときに、左キー７
１が押下されると、ある入力フォーマットに入力されているデータを全選択状態とするこ
とができる。また、ある入力フォーマットＦ１〜Ｆ３に入力カーソルＣが位置するときに
、右キーが押下されると、ある入力フォーマットへの入力を終了させると共に、次の入力
フォーマットに自動的に入力カーソルＣを移動させる。そのため、ユーザが、ＩＰアドレ
ス等のネットワーク機器（ネットワークテレビ２）をホームネットワーク１に接続するた
めに必要な設定データを入力する際に、リモコン５を操作する回数を軽減させることがで
きるので、ユーザが設定データを入力する手間を軽減させることができる。
【００３３】
なお、本発明は、上記実施形態の構成に限定されるものではなく、発明の趣旨を変更し
ない範囲で種々の変更が可能である。例えば、上記実施例では、ホームネットワーク１に
接続されたネットワーク機器がネットワークテレビ２である場合を示したが、これに限ら
れず、例えば、ホームネットワーク１に接続可能なパソコンやネットワークプレーヤなど
であってもよい。
【図面の簡単な説明】
【００３４】
【図１】本発明の一実施形態に係るネットワークテレビと、ネットワークサーバを含むホームネットワークを示す図。
【図２】上記ネットワークテレビの内部構成を示すブロック図。
【図３】上記ネットワークテレビのリモコンの上面を示す図。
【図４】上記ネットワークテレビにおける識別情報の入力フォーマットを説明する図。
【図５】上記ネットワークテレビにおけるＩＰアドレスの操作を説明する図。
【図６】上記ネットワークテレビにおけるＩＰアドレスの操作を説明する図。
【符号の説明】
【００３５】
１  ホームネットワーク
２  ネットワークテレビ（ネットワーク機器）
５  リモコン（操作手段）
２１  ディスプレイ（表示手段）
２３  ネットワークインタフェース
２４  メモリ（記憶手段）
２６  制御用マイコン（制御手段）
５０  ０キー（数字キー）
５１  １キー（数字キー）
５２  ２キー（数字キー）
５３  ３キー（数字キー）
５４  ４キー（数字キー）
５５  ５キー（数字キー）
５６  ６キー（数字キー）
５７  ７キー（数字キー）
５８  ８キー（数字キー）
５９  ９キー（数字キー）
６１  決定キー
６２  戻るキー
７１  左キー
７２  右キー
Ｃ  入力カーソル
Ｆ１  第１入力フォーマット（入力フォーマット）
Ｆ２  第２入力フォーマット（入力フォーマット）
Ｆ３  第３入力フォーマット（入力フォーマット）
Ｆ４  第４入力フォーマット（入力フォーマット）
【図１】
2008198079.tif 000003
【図２】
2008198079.tif 000004
【図３】
2008198079.tif 000005
【図４】
2008198079.tif 000006
【図５】
2008198079.tif 000007
【図６】
2008198079.tif 000008